(57)【要約】      （修正有）【課題】紐付き靴の好ましい外観を備えながら、面ファスナーにより容易に履脱することができるようにした靴を提供する。【解決手段】靴本体１の履き口３より前方に切欠部５を連設し、切欠部の相対向する側縁部７ａ、７ｂに紐孔９ａ、９ｂを列設し、紐孔に靴紐１３を挿通する。一方の側縁部の履き口に近接する紐孔には、第一の面ファスナー構成部と、係合相手となる第二の面ファスナー構成部とを同一側の側面に配設した帯状体１９の一端１９ａを固定し、他方の側縁部の履き口に近接する紐孔には、帯状体の他端を挿通させる挿通孔２５を備えた挿通手段２７を固定する。帯状体の他端を挿通孔に挿通させて一端方向に引き戻して第一の面ファスナー構成部と第二の面ファスナー構成部とを係脱自在に係合させる。【選択図】図１
0003190924.tif 000002
【実用新案登録請求の範囲】
【請求項１】
靴本体の履き口より前方に切欠部を連設し、該切欠部の相対向する側縁部に紐孔を列設し、該側縁部の下側には該切欠部を塞ぐ舌片を配設し、該紐孔に靴紐を挿通してなる靴において、
前記一方の側縁部に列設した紐孔における前記履き口に近接する紐孔には、雄雌いずれか一方の係合素子を備えた第一の面ファスナー構成部と、係合相手となる雌雄他方の係合素子を備えた第二の面ファスナー構成部とを同一側の側面に配設した帯状体の一端を固定し、
前記他方の側縁部に列設した紐孔における前記履き口に近接する紐孔には、該帯状体の他端を挿通させる挿通孔を備えた挿通手段を固定し、
該帯状体の他端を該挿通孔に挿通させて該他端を該帯状体の一端方向に引き戻した状態で該帯状体における前記第一の面ファスナー構成部と前記第二の面ファスナー構成部とを係脱自在に係合させることにより、靴本体を足に締め付けるようにしたことを特徴とする靴。
【請求項２】
靴本体の履き口より前方に切欠部を連設し、該切欠部の相対向する側縁部に紐孔を列設し、該側縁部の下側には該切欠部を塞ぐ舌片を配設し、該紐孔に靴紐を挿通してなる靴において、
前記一方の側縁部に列設した紐孔における前記履き口に近接する紐孔には、雄雌いずれか一方の係合素子を備えた第三の面ファスナー構成部を有する帯状可動片の一端を固定し、
前記他方の側縁部に列設した紐孔における前記履き口に近接する紐孔には、前記一方の係合素子の係合相手となる雌雄他方の係合素子を備えた第四の面ファスナー構成部を有する固定片を固定し、
前記帯状可動片の他端を前記固定片方向に引き寄せて該帯状可動片の第三の面ファスナー構成部を該固定片の第四の面ファスナー構成部に係脱自在に係合させることにより、靴本体を足に締め付けるようにしたことを特徴とする靴。
【考案の詳細な説明】
【技術分野】
【０００１】
本考案は、紐付きの靴に関するものであり、特に履脱容易な紐付きの靴に係るものである。
【背景技術】
【０００２】
特開２０１２−２２３５４９号公報は、靴本体の履き口より前方に切欠部を連設し、該切欠部の相対向する側縁部に紐孔を列設し、該側縁部の下側には該切欠部を塞ぐ舌片を配設し、該紐孔に靴紐を挿通し、該靴紐の両端を結紐するようにした靴（以下「従来の紐付きの靴」という。）を開示している。
【０００３】
一方、靴本体の履き口より前方に切欠部を連設し、該切欠部の相対向する側縁部における一方の側縁部に雄雌のいずれか一方の係合素子を備えた第一の面ファスナー構成体を取り付け、他方の側縁部に係合相手となる他方の係合素子を備えた第二の面ファスナー構成体を取り付け、当該第一の面ファスナー構成体を当該第二の面ファスナー構成体に係合させるようにした靴（以下「面ファスナー付きの靴」という。）が知られている。
【先行技術文献】
【特許文献】
【０００４】
【特許文献１】特開２０１２−２２３５４９号公報
【考案の概要】
【考案が解決しようとする課題】
【０００５】
上記従来の紐付きの靴は、好ましい外観を有すると共にデザインのバリエーションも豊富であるため、子供が自ら履用を望み、或いはその親が子供に履用させることを望んでいるにもかかわらず、子供が独力で結紐することができないために、その履用をあきらめざるを得ない場合も多い。
【０００６】
一方、上記従来の面ファスナー付きの靴は、履脱が容易であるため、子供のみならず、多くの高齢者にも履用されている。しかるに、従来の面ファスナー付きの靴は、一般に外観が好ましくなく、かつ、デザインのバリエーションが乏しいため、履用者にとっては必ずしも満足すべきものではない。
【０００７】
従来の紐付きの靴及び従来の面ファスナー付きの靴における上述の如き問題に鑑み、本考案は、紐付き靴の好ましい外観を備えながら、面ファスナーにより容易に履脱することができるようにした靴を提供しようとしてなされたものである。
【課題を解決するための手段】
【０００８】
上記課題を解決するために、本考案は、下記の靴を提供する。
【０００９】
（１）靴本体の履き口より前方に切欠部を連設し、該切欠部の相対向する側縁部に紐孔を列設し、該側縁部の下側には該切欠部を塞ぐ舌片を配設し、該紐孔に靴紐を挿通してなる靴において、
前記一方の側縁部に列設した紐孔における前記履き口に近接する紐孔には、雄雌いずれか一方の係合素子を備えた第一の面ファスナー構成部と、係合相手となる雌雄他方の係合素子を備えた第二の面ファスナー構成部とを同一側の側面に配設した帯状体の一端を固定し、
前記他方の側縁部に列設した紐孔における前記履き口に近接する紐孔には、該帯状体の他端を挿通させる挿通孔を備えた挿通手段を固定し、
該帯状体の他端を該挿通孔に挿通させて該他端を該帯状体の一端方向に引き戻した状態で該帯状体における前記第一の面ファスナー構成部と前記第二の面ファスナー構成部とを係脱自在に係合させることにより、靴本体を足に締め付けるようにしたことを特徴とする靴（請求項１）。
【００１０】
（２）靴本体の履き口より前方に切欠部を連設し、該切欠部の相対向する側縁部に紐孔を列設し、該側縁部の下側には該切欠部を塞ぐ舌片を配設し、該紐孔に靴紐を挿通してなる靴において、
前記一方の側縁部に列設した紐孔における前記履き口に近接する紐孔には、雄雌いずれか一方の係合素子を備えた第三の面ファスナー構成部を有する帯状可動片の一端を固定し、
前記他方の側縁部に列設した紐孔における前記履き口に近接する紐孔には、前記一方の係合素子の係合相手となる雌雄他方の係合素子を備えた第四の面ファスナー構成部を有する固定片を固定し、
前記帯状可動片の他端を前記固定片方向に引き寄せて該帯状可動片の第三の面ファスナー構成部を該固定片の第四の面ファスナー構成部に係脱自在に係合させることにより、靴本体を足に締め付けるようにしたことを特徴とする靴（請求項２）。
【考案の効果】
【００１１】
[請求項１の考案]
請求項１の考案による靴は、紐孔に靴紐を挿通させているため、従来の靴紐付きの靴とほぼ同様の好ましい外観を備えていながら、帯状体における第一の面ファスナー構成部と第二の面ファスナー構成部とを係脱自在に係合させることにより極めて容易に履脱することができる。すなわち、請求項１の考案による靴は、紐付きの靴の好ましい外観を呈しながら、子供や高齢者でも極めて容易に履脱することができるのである。
【００１２】
更に、一方の側縁部に列設した紐孔における前記履き口に近接する紐孔に帯状体の一端を固定し、他方の側縁部に列設した紐孔における前記履き口に近接する紐孔には該帯状体の挿通手段を固定するようにしているため、該帯状体と挿通手段とを既成の紐付き靴の紐孔に取り付けることができる。すなわち、市販されている好みのデザインの紐付き靴を入手し、これに帯状体と挿通手段とを取り付けて履用することができる。
【００１３】
帯状体の他端を挿通孔に挿通させて該他端を該帯状体の一端方向に引き戻した状態で該帯状体における第一の面ファスナー構成部と第二の面ファスナー構成部とを係脱自在に係合させることにより、靴本体を足に締め付けるようにしているため、履用者は靴を確実に締め付けることができる。
【００１４】
[請求項２の考案]
請求項２の考案による靴は、一方の側縁部の紐孔に帯状可動片の一端を固定し、他方の側縁部の紐孔に固定片を固定し、該帯状可動片の他端を該固定片方向に引き寄せて該帯状可動片の第三の面ファスナー構成部を該固定片の第四の面ファスナー構成部に係脱自在に係合させることにより、靴本体を足に締め付けるようにしたものであり、前記請求項１の考案による靴と同様の効果を発揮する。
【図面の簡単な説明】
【００１５】
【図１】図１は、本考案による靴の一例を示す斜視図である。
【図２】図２は、同上靴の正面図である。
【図３】図３は、挿通手段の一例を示す側面図である。
【図４】図４は、帯状体の一例を示す平面図である。
【図５】図５は、帯状体における第一の面ファスナー構成部と第二の面ファスナー構成部とを係合させている状態を示す正面図である。
【図６】図６は、帯状可動片の第三の面ファスナー構成部を固定片の第四の面ファスナー構成部に係脱自在に係合させている状態を示す正面図である。
【図７】図７は、固定片と第四の面ファスナー構成部とを示す正面図である。
【図８】図８は、帯状可動片と第三の面ファスナー構成部とを示す背面図である。
【考案を実施するための形態】
【００１６】
まず、図１〜図５に示す事例について説明する。
【００１７】
すなわち、この事例の靴は、靴本体１の履き口３より前方に切欠部５を連設し、該切欠部５の相対向する側縁部７ａ、７ｂに紐孔９ａ、９ａ・・・、９ｂ、９ｂ・・・を列設し、該側縁部７ａ，７ｂの下側には該切欠部５を塞ぐ舌片１１を配設し、該紐孔９ａ、９ａ・・・、９ｂ、９ｂ・・・に靴紐１３を挿通してなる靴において、前記従来の紐付きの靴と共通している。なお、本考案の靴においては、靴紐１３の両端を必ずしも相互に結紐する必要はなく、靴紐１３の各端を適宜の位置に固定してもよい。
【００１８】
以下、図１〜図５に示す事例が前記従来の紐付きの靴と異なる点について説明する。
【００１９】
前記一方の側縁部７ａに列設した紐孔９ａ、９ａ・・・における前記履き口３に近接する紐孔９ａ、９ａには、雄雌いずれか一方の係合素子を備えた第一の面ファスナー構成部１５と、係合相手となる雌雄他方の係合素子を備えた第二の面ファスナー構成部１７とを同一側の側面に配設した帯状体１９の一端１９ａを固定する。
【００２０】
図４における符号２１に示すものは、帯状体１９の一端１９ａを紐孔９ａ、９ａに固定するための透孔である。この事例においては、靴の紐孔９ａ、９ａと帯状体１９の透孔２１、２１とに靴紐１３を挿通させることにより帯状体１９の一端１９ａを紐孔９ａ、９ａに固定することができるが、靴紐１３を用いることなく靴の紐孔９ａ、９ａと帯状体１９の透孔２１、２１とを例えば取付ホック（図６の符号２３参照）、結束バンド等の固定手段により固定しても差し支えない。
【００２１】
前記他方の側縁部７ｂに列設した紐孔９ｂ、９ｂ・・・における前記履き口３に近接する紐孔９ｂ、９ｂには、該帯状体１９の他端１９ｂを挿通させる挿通孔２５を備えた挿通手段２７を固定する。
【００２２】
図３に示す挿通手段２７は、挿通孔２５を備えた挿通環２９に取付具３１を備えさせ、該取付具３１に透孔３３、３３を形成してなるものである。この事例においては、靴の紐孔９ｂ、９ｂと取付具３１の透孔３３、３３とに靴紐１３を挿通させることにより挿通手段２７を紐孔９ｂ、９ｂに固定することができるが、靴紐１３を用いることなく靴の紐孔９ｂ、９ｂと取付具３１の透孔３３、３３とを例えば取付ホック（図６の符号２３参照）、結束バンド等の固定手段により固定しても差し支えない。
【００２３】
該帯状体１９の他端１９ｂを挿通手段２７の挿通孔２５に挿通させて該他端１９ｂを該帯状体１９の一端１９ａ方向に引き戻した状態で該帯状体１９における前記第一の面ファスナー構成部１５と前記第二の面ファスナー構成部１７とを係脱自在に係合させることにより、靴本体１を足に締め付けるようになす。図５参照。
【００２４】
次に、図６〜図８に示す事例について説明する。
【００２５】
図６〜図８に示す事例は、靴本体１の履き口３より前方に切欠部５を連設し、該切欠部５の相対向する側縁部７ａ、７ｂに紐孔９ａ、９ａ・・・、９ｂ、９ｂ・・・を列設し、該側縁部７ａ、７ｂの下側には該切欠部５を塞ぐ舌片１１を配設し、該紐孔９ａ、９ａ・・・、９ｂ、９ｂ・・・に靴紐１３を挿通してなる靴である点においては、図１〜図５に示す前述の事例と共通する。
【００２６】
しかして、図６〜図８に示す事例においては、前記一方の側縁部７ａに列設した紐孔紐孔９ａ、９ａ・・・における前記履き口３に近接する紐孔紐孔９ａ、９ａには、雄雌いずれか一方の係合素子を備えた第三の面ファスナー構成部３５を有する帯状可動片３７の一端３７ａを固定する。
【００２７】
図８における符号３９に示すものは、帯状可動片３７の一端３７ａを紐孔９ａ、９ａに固定するための透孔である。この事例においては、靴の紐孔９ａ、９ａと帯状可動片３７の透孔３９、３９とに靴紐１３を挿通させることにより帯状可動片３７の一端３７ａを紐孔９ａ、９ａに固定することができるが、靴紐１３を用いることなく靴の紐孔９ａ、９ａと帯状可動片３７の透孔３９、３９とを例えば取付ホック（図６の符号２３参照）、結束バンド等の固定手段により固定しても差し支えない。
【００２８】
前記他方の側縁部７ｂに列設した紐孔９ｂ、９ｂ・・・における前記履き口３に近接する紐孔９ｂ、９ｂには、前記一方の係合素子の係合相手となる雌雄他方の係合素子を備えた第四の面ファスナー構成部４１を有する固定片４３を固定する。
【００２９】
図７に示す固定片４３は、透孔４５、４５を備えている。この事例においては、靴の紐孔９ｂ、９ｂと固定片４３の透孔４５、４５とに靴紐１３を挿通させることにより固定片４３を紐孔９ｂ、９ｂに固定することができるが、靴紐１３を用いることなく靴の紐孔９ｂ、９ｂと固定片４３の透孔４５、４５とを例えば取付ホック（図６の符号２３参照）、結束バンド等の固定手段により固定しても差し支えない。
【００３０】
前記帯状可動片３７の他端３７ｂを前記固定片４３方向に引き寄せて該帯状可動片３７の第三の面ファスナー構成部３５を該固定片４３の第四の面ファスナー構成部４１に係脱自在に係合させることにより、靴本体を足に締め付けるようになす。図６参照。
【符号の説明】
【００３１】
１  靴本体
３  履き口
５  切欠部
７ａ  側縁部
７ｂ  側縁部
９ａ  紐孔
９ｂ  紐孔
１１  舌片
１３  靴紐
１５  第一の面ファスナー構成部
１７  第二の面ファスナー構成部
１９  帯状体
１９ａ  一端
１９ｂ  他端
２１  透孔
２３  取付ホック
２５  挿通孔
２７  挿通手段
２９  挿通環
３１  取付具
３３  透孔
３５  第三の面ファスナー構成部
３７  帯状可動片
３７ａ  一端
３７ｂ  他端
３９  透孔
４１  第四の面ファスナー構成部
４３  固定片
４５  透孔
【図１】
0003190924.tif 000003
【図２】
0003190924.tif 000004
【図３】
0003190924.tif 000005
【図４】
0003190924.tif 000006
【図５】
0003190924.tif 000007
【図６】
0003190924.tif 000008
【図７】
0003190924.tif 000009
【図８】
0003190924.tif 000010